(57)【要約】【課題】支柱基礎用ブロックの支柱を簡単に取り付けることができるようにすると共に、支柱を簡単に取り外せるようにし、運搬、保管を効率的にできるようにする。【解決手段】挿入された支柱が包持される縦穴を有する支柱基礎用ブロックを、縦穴を通る垂直切断面で複数個に切断した形状の複数個の分割ブロックで構成する。各分割ブロックは連結・離別自在の緊結具で連結するので、容易に支柱を基礎ブロックに立設させて組み立てることができる。また、緊結具を解除状態にして各分割ブロックを離別させることで、容易に分割ブロックから支柱を取り外すことができ、分割ブロックと支柱をそれぞれ別々に積み重ねるなどして運搬・保管することが可能となる。【選択図】      図１
2007291736.tif 000002
【特許請求の範囲】
【請求項１】
挿入された支柱が包持される縦穴を有する支柱基礎ブロックを、前記縦穴を通る垂直切断面で複数個に切断した形状の複数個の分割ブロックからなり、各分割ブロックを連結・離別自在の緊結具で連結することで前記支柱基礎ブロックが組み立てられることを特徴とする支柱基礎用ブロック。
【発明の詳細な説明】
【技術分野】
【０００１】
本発明は、防護柵、交通標識、案内板、広告看板、バス停留所標識などの支柱を支えるための支柱基礎用ブロックに関する。
【背景技術】
【０００２】
従来の支柱基礎用ブロックは、例えば下記特許文献１などに開示されている。このような従来の支柱基礎用ブロックは、図１４に示すように、ブロック２０に支柱ｐを挿入するための縦穴２１が形成されており、この縦穴２１に支柱ｐを上から挿入し、その後モルタル、コンクリートなどの充填材２２を縦穴２１と支柱ｐの隙間に充填し、支柱ｐを固定するものである。
【特許文献１】特開２００５−２１３８５２
【発明の開示】
【発明が解決しようとする課題】
【０００３】
上記従来の支柱基礎用ブロックは、現場でブロックに支柱を立設する場合、モルタル、コンクリートなどの充填材が硬化するまで支柱の垂直状態を保つため、支柱を仮固定しなければならず、煩雑な作業を要していた。また、工場でブロックに支柱を立設する場合、支柱の付いたブロックを重ねることができず、広い保管場所が必要となり、また、現場に搬入する際の運搬も非効率的であった。
【０００４】
また、ガードレール、フェンス、標識などを仮設置する場合が多々あるが、仮設置が終了してガードレールなどを撤去する場合、ブロックと支柱とが一体化されて分解できないために、運搬が非効率になったり、広い保管場所が必要になるという問題があった。また、このような仮設置のガードレールなどが、車が衝突するなどして損傷を受けた場合、損傷を受けたガードレールなどの付いたブロック全体を廃棄しなければならず、徒に資源を無駄にしていた。
【０００５】
本発明は、支柱を簡単に取り付けることができるようにすると共に、支柱を簡単に取り外せる支柱基礎用ブロックを開発し、ブロックと支柱とを分けて運搬、保管することで、運搬、保管の効率化を実現することを目的とする。また、支柱部分、又はブロック部分のみが破損した場合は、破損した支柱又はブロックのみを交換することで資源の浪費を防げるようにすることをも目的とする。
【課題を解決するための手段】
【０００６】
本発明は、挿入された支柱が包持される縦穴を有する支柱基礎用ブロックを、前記縦穴を通る垂直切断面で複数個に切断した形状の複数個の分割ブロックからなり、各分割ブロックを連結・離別自在の緊結具で連結することで前記支柱基礎用ブロックが組み立てられることを特徴とする支柱基礎用ブロックである。
【発明の効果】
【０００７】
本発明の支柱基礎用ブロックは、上記の構成であるので、図１０に示すように、ブロックを組み立てるときに支柱を縦穴に挿入して包持させ、各分割ブロックを緊結具で連結・固定することで、容易に支柱を基礎ブロックに立設させることができる。また、緊結具を解除状態にして各分割ブロックを離別させることで、容易に分割ブロックから支柱を取り外すことができるので、分割ブロックと支柱をそれぞれ積み重ねるなどして運搬・保管でき、効率的な運搬、少ないスペースでの保管が可能となる。さらに、支柱部分、又は分割ブロックが破損した場合は、破損した支柱又は分割ブロックのみを交換することで資源の浪費を防ぐこともできる。
【実施例】
【０００８】
次に、実施例を表した図面に基づいて本発明を詳細に説明する。図１は実施例の支柱基礎用ブロック１の平面図、図２は分割ブロック１ａの正面図、図３は分割ブロック１ａの背面図、図４は分割ブロック１ａの左側面図、図５は分割ブロック１ａの右側面図、図６は分割ブロック１ａの底面図、図７は図２におけるＡ−Ａ線断面図、図８は吊上用アンカー４の断面説明図、図９は緊結具３の説明図、図１０は支柱基礎用ブロック１の使用方法の説明図、図１１、１２は支柱基礎用ブロック１の使用例の説明図である。
【０００９】
実施例の支柱基礎用ブロック１はコンクリート製で、分割ブロック１ａ、１ｂからなる。支柱基礎用ブロック１の形状は、直方体の一面を斜めに傾斜させた形状で、上面に縦穴２が垂直に設けられている。縦穴の形状は支柱の形状と同じ（この場合は円筒形）で、その内径は支柱の外径と同じかやや大きいことが望ましい（支柱の直径＋０〜３ｍｍ程度）。分割ブロック１ａ、１ｂは、支柱基礎用ブロック１を、縦穴２の中心を通る切断面５で切断した形状となっており、その形状は相互に切断面に対して対称である。なお、分割ブロック１ａ、１ｂは、支柱基礎用ブロック１を切断して形成するのではなく、それぞれ別個に型枠で成形される。
【００１０】
各分割ブロック１ａ、１ｂには、その切断面５に面して各２個の緊結具３が設けられている。緊結具３は鉄板をコの字状に曲げたもので、垂直面のほぼ中央にボルト穴が形成されている。分割ブロック１ａ、１ｂに埋め込まれた緊結具３の後側は切欠部６となっており、図９に示すように、分割ブロック１ａ、１ｂの切断面５を合わせた後にボルト７、ナット８で両ブロックを容易に一体化できる。また、ボルト７、ナット８を外すことで両ブロックを容易に分離することができる。緊結具としては、本実施例に示すものの他、種々の周知のものを使用することができる。
【００１１】
各分割ブロック１ａ、１ｂの上面には、吊上用アンカー４が植設されている。吊上用アンカー４は、プラスチック製、金属製などのナットで、揚重機の吊上ワイヤに取り付けた吊上具の雄ネジをねじ込み、ブロックを吊り上げることができるようになっている。
【００１２】
分割ブロック１ａ、１ｂを組み立てて支柱基礎用ブロック１とする場合、図１０に示すように、支柱ｐが縦穴２に入り込むように分割ブロック１ａ、１ｂを両側から合わせて組み立て、その後緊結具３をボルト、ナットで固定し、分割ブロック１ａ、１ｂを支柱基礎用ブロック１として一体化する。
【００１３】
図１１に示すのは、支柱基礎用ブロック１を標識９の基礎として用いた場合の例である。本設置の場合は支柱基礎用ブロック１を地中に埋設することが望ましく、仮設置の場合には支柱基礎用ブロック１を地上に露出して設けることができる。
【００１４】
図１２は支柱基礎用ブロック１を仮設置の防護柵１０（ガードレール）の基礎として用いた例を示している。この場合、支柱ｐを立設して組み立てた支柱基礎用ブロック１を所定間隔で並べ、これに防護柵１０の横桁を取り付ければよい。仮設置が終了した後は、防護柵の横桁、支柱、分割ブロック１ａ、１ｂに分解し、運搬・保管することができるので、運搬・保管が効率的に行われる。
【００１５】
図１３は他の実施例の支柱基礎用ブロック１１の平面図である。支柱基礎用ブロック１１はコンクリート製で、分割ブロック１ａ、１ｂ、１ｃからなる。支柱基礎用ブロック１１の形状は円筒形で、中央に支柱を包持する縦穴１２を有する。分割ブロック１ａ、１ｂ、１ｃは、支柱基礎用ブロック１１を、縦穴１２の中心を通る切断面で３等分に切断した形状となっており、分割ブロック１ａ、１ｂ、１ｃの形状は全て等しいものである。
【００１６】
本発明において、支柱基礎用ブロックの形状に特に制限は無く、種々の形状が可能である。また、支柱の形状も自由であり、円筒形のみならず、四角筒形、多角筒形など種々の形状に適応できる。
【図面の簡単な説明】
【００１７】
【図１】実施例の支柱基礎用ブロック１の平面図である。
【図２】分割ブロック１ａの正面図である。
【図３】分割ブロック１ａの背面図である。
【図４】分割ブロック１ａの左側面図である。
【図５】分割ブロック１ａの右側面図である。
【図６】分割ブロック１ａの底面図である。
【図７】図２におけるＡ−Ａ線断面図である。
【図８】吊上用アンカー４の断面説明図である。
【図９】緊結具３の説明図である。
【図１０】支柱基礎用ブロック１の使用方法の説明図である。
【図１１】支柱基礎用ブロック１の使用例の説明図である。
【図１２】支柱基礎用ブロック１の使用例の説明図である。
【図１３】実施例の支柱基礎用ブロック１１の平面図である。
【図１４】従来の支柱基礎用ブロック２０の使用方法の説明図である。
【符号の説明】
【００１８】
１  支柱基礎用ブロック
１ａ  分割ブロック
１ｂ  分割ブロック
２  縦穴
３  緊結具
４  吊上用アンカー
５  切断面
６  切欠部
７  ボルト
８  ナット
９  標識
１０  防護柵
１１  支柱基礎用ブロック
１１ａ  分割ブロック
１１ｂ  分割ブロック
１１ｃ  分割ブロック
１２  縦穴
２０  ブロック
２１  縦穴
２２  充填材
ｐ  支柱
【図１】
2007291736.tif 000003
【図２】
2007291736.tif 000004
【図３】
2007291736.tif 000005
【図４】
2007291736.tif 000006
【図５】
2007291736.tif 000007
【図６】
2007291736.tif 000008
【図７】
2007291736.tif 000009
【図８】
2007291736.tif 000010
【図９】
2007291736.tif 000011
【図１０】
2007291736.tif 000012
【図１１】
2007291736.tif 000013
【図１２】
2007291736.tif 000014
【図１３】
2007291736.tif 000015
【図１４】
2007291736.tif 000016